(57)【要約】  ゲーム用サイコロ１は少なくとも６つの面２を含む本体部を備え、それらの面２の少なくとも１つ又は複数には少なくとも２つの表示保持要素４ａ、４ｂ、４ｃを同時に取り付ける手段３が設けられる、ボードゲーム又はカードゲーム等のゲーム用サイコロ１及びゲーム用サイコロ１を用いるゲーム。これにより、少なくとも２つの別個の表示保持要素４ａ、４ｂ、４ｃを取り付けることが可能となり、該表示保持要素４ａ、４ｂ、４ｃは、ゲーム用サイコロ１の同じ面上に互いに隣り合って取り付けることができるように構成され、また、表示保持要素４ａ、４ｂ、４ｃは、該表示保持要素をゲーム用サイコロ１の面２に取り付ける手段が構成される底面と、該底面に対して対向すると共に表示が設けられる頂面とを有する。【選択図】図２
2011510767.tif 000002
【特許請求の範囲】
【請求項１】
ボードゲーム、カードゲーム又は何らかの他のゲーム等のゲームのためのゲーム用サイコロであって、
前記ゲーム用サイコロは、平面支持体上にあるときに安定して位置し得る、少なくとも６つの面を含む本体部を備え、前記面の少なくとも１つ又は複数には表示保持要素を取り付ける手段が設けられ、
少なくとも１つの面には少なくとも２つの表示保持要素を同時に取り付ける手段が設けられることを特徴とする、ゲーム用サイコロ。
【請求項２】
前記ゲーム用サイコロは、前記ゲーム用サイコロの同じ面に互いに隣り合って取り付けることができるように構成される少なくとも２つの別個の表示保持要素をさらに含み、前記表示保持要素は、前記表示保持要素を前記ゲーム用サイコロの面に取り付ける手段が構成される底面と、前記底面に対して対向して構成されると共に表示が設けられる頂面とを有することを特徴とする、請求項１に記載のゲーム用サイコロ。
【請求項３】
前記表示保持要素を前記ゲーム用サイコロに取り付ける前記手段は、前記ゲーム用サイコロ及び各前記表示保持要素それぞれに構成される相補的な連結手段を含み、前記相補的な連結手段は、前記表示保持要素を摩擦的又は幾何学的な相互接続によって前記ゲーム用サイコロの前記本体部に取り付けることができるように構成されることを特徴とする、請求項２に記載のゲーム用サイコロ。
【請求項４】
前記相補的な連結手段は、連結スタッドと前記連結スタッドに対し相補的に構成される連結フランジとを含み得り、前記連結フランジは、摩擦的に又は幾何学的に前記連結スタッドのうちの１つに連結されることができるように構成されることを特徴とする、請求項３に記載のゲーム用サイコロ。
【請求項５】
前記連結スタッドは前記ゲーム用サイコロの前記本体部の前記面上に構成され、前記相補的に構成される連結フランジは前記表示保持要素上に構成されることを特徴とする、請求項４に記載のゲーム用サイコロ。
【請求項６】
前記連結フランジは各前記表示保持要素上に構成されることを特徴とする、請求項５に記載のゲーム用サイコロ。
【請求項７】
少なくとも２つの別個の連結スタッドが前記ゲーム用サイコロの少なくとも１つの面上に構成されることを特徴とする、請求項５に記載のゲーム用サイコロ。
【請求項８】
少なくとも４つの別個の連結スタッドが前記ゲーム用サイコロの少なくとも１つの面上に設けられ、前記連結スタッドは４つの隣接する連結スタッドが正方形の隅部を形成するように正方形パターンで構成されることを特徴とする、請求項７に記載のゲーム用サイコロ。
【請求項９】
前記表示保持要素は、例えば種々の形状、装飾、色又はグラフィックプリントを有する、互いに異なる表示が設けられる要素を頂面に有することを特徴とする、請求項７又は８に記載のゲーム用サイコロ。
【請求項１０】
前記表示保持要素は、様々な数の前記連結スタッドを覆うような方式で取り付けることができるように種々のサイズの要素を含むことを特徴とする、請求項９に記載のゲーム用サイコロ。
【請求項１１】
サイズが等しく本質的に正方形である６つの面を有する立方体として構成され、各面に、少なくとも４つの別個の連結スタッドが、４つの隣接する連結スタッドが正方形の隅部を形成するように正方形パターンで設けられることを特徴とする、請求項１に記載のゲーム用サイコロ。
【請求項１２】
請求項１〜１１のいずれかに記載のゲーム用サイコロを含むゲーム。
【発明の詳細な説明】
【技術分野】
【０００１】
［発明の利用分野］
本発明はゲームのためのゲーム用サイコロ及びゲームに関し、該ゲーム用サイコロは少なくとも６つの面を含み、かかる面の少なくとも１つ又は複数には表示保持要素（indicia-carrying element）を取り付ける手段が設けられる。
【背景技術】
【０００２】
［現行の技術水準］
ゲーム用サイコロは、ボードゲーム、カードゲーム等のような多くの異なるタイプのゲームに関して使用されている。そのようなゲームには、サイズが等しく本質的に正方形である６つの面を有する立方体のゲーム用サイコロが一般に使用されているが、ゲーム用サイコロの使用によって望まれる結果の数に応じて６つよりも多い面を有するゲーム用サイコロが知られている。
【０００３】
六面体のゲーム用サイコロの最も知られている実施の形態は、サイコロを振ると１〜６の目の数を示して上に向く面の確率が等しくなり得るように、複数のドット又は目がサイコロの面のそれぞれに設けられるように構成される。
【０００４】
ここ何年にもわたり、上記の１〜６の目以外の他の結果を示し得るゲーム用サイコロの必要性を伴うゲームが開発されており、そのため、ゲーム用サイコロの幾つかの面又は全ての面に既知の目以外の他の表示が設けられるゲーム用サイコロが開発されている。
【０００５】
さらに、特許文献１、特許文献２、特許文献３、特許文献４及び特許文献５は、本導入部に記載の類のゲーム用サイコロを教示しており、その場合、サイコロ面は、表示保持要素を取り付ける手段を有するように構成され、そのため、該表示保持要素は、所定のゲームに合う所望の結果を正確に有するようにゲーム用サイコロを構成する目的で取り付けられ、交換され、且つ変えられることができる。したがって、これらの後者のゲーム用サイコロにより、ただ１つのサイコロだけで、サイコロが振られたときにさらに多くのあり得る結果をもたらすことができるように、ゲーム用サイコロの表示保持要素を交換して適合させるというオプションが可能となる。概して、ゲーム用サイコロの開発は、ゲーム用サイコロが振られたときにより多くの異なる結果を可能にすることによってゲームの新たなオプションを提供することにまさしく主眼を置いている。
【先行技術文献】
【特許文献】
【０００６】
【特許文献１】スイス国特許第４５０２５４号明細書
【特許文献２】スイス国特許第６８６２８８号明細書
【特許文献３】独国実用新案第２０２００５００１５８４号明細書
【特許文献４】米国特許第１１００５４９号明細書
【特許文献５】ＰＣＴ出願第９５／１３８４９号明細書
【発明の概要】
【発明が解決しようとする課題】
【０００７】
［発明の目的］
これに基づき、本発明の目的は、新種のゲームのさらなるオプション又はゲーム用サイコロが振られたときの異なる結果のより多くのオプションを可能にする、ゲーム用サイコロ及びゲームを提供することである。
【０００８】
これは、該ゲーム用サイコロが、該ゲーム用サイコロが平面支持体上にあるときに安定して位置し得る、複数の面を有して構成される本体部を備え、かかる面の少なくとも１つ又は複数には表示保持要素を取り付ける手段が設けられることによって達成される。本発明によれば、少なくとも１つの面には少なくとも２つの表示保持要素を同時に取り付ける手段が設けられる。
【０００９】
このようにして、例えば玩具組立セットの要素をゲーム用サイコロに取り付けることができるようなやり方でそのようなゲーム用サイコロを構成することが可能であるが、好適な実施の形態によれば、ゲーム用サイコロはさらに、ゲーム用サイコロの同じ面に互いに隣り合って取り付けることができるように構成される少なくとも２つの別個の表示保持要素をさらに含み、該表示保持要素は、該表示保持要素をゲーム用サイコロの面に取り付ける手段が構成される底面と、該底面に対して対向して構成されると共に表示が設けられる頂面とを有する。
【００１０】
上述したように、本発明によるゲーム用サイコロは、例えば一般に既知の玩具組立要素をゲーム用サイコロに取り付けることができるように構成され得るため、かかる玩具組立要素が表示保持要素としての役割を果たす。好適な実施の形態によれば、これは、表示保持要素をゲーム用サイコロに取り付ける手段が、該ゲーム用サイコロ及び各表示保持要素それぞれに構成される相補的な連結手段を含み、該相補的な連結手段が、表示保持要素を摩擦的又は幾何学的な相互接続によってゲーム用サイコロの本体部に取り付けることができるように構成される場合、達成することができる。
【００１１】
有利には、相補的な連結手段は、連結スタッドと該連結スタッドに対し相補的に構成される連結フランジとを含み得り、該連結フランジは、摩擦的に又は幾何学的に連結スタッドのうちの１つに連結されることができるように構成される。
【００１２】
したがって、本発明によるゲーム用サイコロは有利には、連結スタッドがゲーム用サイコロの本体部の面に構成されるように構成され得り、相補的に構成される連結フランジが、かかる表示保持要素がゲーム用サイコロの一部であるか又は玩具組立セットの構成部材から成っているかにかかわらず、表示保持要素に構成される。
【００１３】
これに関して、連結フランジが表示保持要素のそれぞれに構成される場合が好都合であろう。
【００１４】
ゲーム用サイコロの少なくとも１つの面に少なくとも２つの別個の連結スタッドを構成することによって、これらの連結スタッドのそれぞれが１つの表示保持要素を取り付けるように働き得ることがさらに達成される。
【００１５】
しかしながら、特に有利には、少なくとも４つの別個の連結スタッドがゲーム用サイコロの少なくとも１つの面に設けられ、連結スタッドは、４つの隣接する連結スタッドが正方形の隅部を形成するように正方形パターンで構成される。これにより、サイコロを用いて得ることができるあり得る結果の数をさらに変えることができるように、表示保持要素が互いに対し異なる位置に配置されることができることが達成される。
【００１６】
言うまでもなく、表示保持要素は、頂面が本質的に平坦であると共に、種々の形状、装飾、色又はグラフィックプリント等、互いに異なる表示が設けられる要素を含め、多くの可能な方法で構成することができる。
【００１７】
本発明によれば、表示保持要素は、様々な数の連結スタッドを覆うような方式で取り付けることができるように種々のサイズの要素を含み得る。したがって、１つ、２つ、３つ、４つ又はそれ以上の連結スタッドを正確に覆う要素が提供され得るため、ゲーム用サイコロによって得ることができるあり得る結果の数を変えるさらなるオプションが提供される。
【００１８】
最も好適な実施の形態によれば、ゲーム用サイコロは、サイズが等しく本質的に正方形である６つの面を有する立方体として提供され、各面に、４つの隣接する連結スタッドが正方形の隅部を形成するように少なくとも４つの別個の連結スタッドが正方形パターンで設けられる。
【図面の簡単な説明】
【００１９】
【図１】上方から斜めに見た、本発明によるゲーム用サイコロの斜視図である。
【図２】上方から斜めに見た、複数の表示保持要素が取り付けられている、図１に示す本発明によるゲーム用サイコロの斜視図である。
【発明を実施するための形態】
【００２０】
したがって、図１は本発明によるゲーム用サイコロ１を示し、ゲーム用サイコロ１は、最も一般的なタイプのものであり、６つの同一の面２を有し、これらの面２のそれぞれは、ゲーム用サイコロ１を振るとゲーム用サイコロ２が所定の面で止まる確率がゲーム用サイコロ１の全ての面２に等しく高いように、本質的に正方形であるように構成される。
【００２１】
図１に示すように、ゲーム用サイコロ１の面２は本質的に同一であり、したがって、かかるゲーム用サイコロ１を振ることはそれ自体では意味がなく、ユーザはそのようなサイコロ振りの結果を区別することはできない。したがって、本発明のこの好適な実施形態によれば、４つの連結スタッド３が面２のそれぞれに設けられ、連結スタッド３は、該連結スタッド３が正方形の隅部を形成するように正方形パターンで配置され、また、連結スタッド３は、種々のそれ自体既知の玩具組立システムによる組立要素を該ゲーム用サイコロ１の面２に取り付けるとゲーム用サイコロの面２が特性（nature)を変えることができるように、該連結スタッド３にそのような組立要素を取り付けることが可能であるように構成される。
【００２２】
組立要素４ａ、４ｂ、４ｃの下側には、ゲーム用サイコロ１への組立要素４ａ、４ｂ、４ｃの取付けにより、ゲーム用サイコロの連結スタッド３の外面に摩擦当接する連結フランジが構成される。かかる連結フランジを様々な方法で構成する十分な機会があり、当業者はそのようなオプションを自由に指示することができるが、その組立要素４ａ、４ｂ、４ｃは図示していない。
【００２３】
したがって、図１によるゲーム用サイコロ１に種々の組立要素を取り付けることによって、ゲーム用サイコロ１に取り付けられる該要素の数、形状又は外観自体が変わる場合に、ゲーム用サイコロの各面２にそれ自身の特性を付与することができる。
【００２４】
次に、図２は図１に示すものと同じゲーム用サイコロ１を示し、ここでは、ゲーム用サイコロの少なくとも見えている３つの面２に、それ自体既知の玩具組立システムによる組立板４、４ｂ、４ｃが取り付けられている。このようにして、上方に向いている１つの面の上には、その面２の４つの連結スタッドを全て覆う正方形の組立板４ａが、該組立板がその面２にさらなる組立要素を取り付けるスペースを残さないように取り付けられている。ゲーム用サイコロ１の見えている他の２つの面２の上には、一方の面２に、連結スタッド３のうち正確にただ１つの連結スタッドを覆う単一の正方形の組立板４ｂが取り付けられており、他方の面２に、その面２の正確に２つの連結スタッド３をそれぞれ覆う２つの矩形の組立板４ｃが、それぞれ、その面２に組立板をさらに取り付けるスペースを残さないように取り付けられている。
【００２５】
このようにして、組立板を取り付けることで、本発明が特定のゲーム用に具体的に構成されるゲーム用サイコロを組み立てるための多数の異なるオプションを提供するように、ゲーム用サイコロの全ての面を個々に構成することができることが達成され得ることが分かる。
【００２６】
したがって、上記に記載したように、異なる数の組立板をゲーム用サイコロに取り付けること又は種々のサイズの組立板を取り付けることのみで、ゲーム用サイコロ１の面２を変えることができる。しかしながら、本発明によれば、組立要素の形状、色、装飾及び／又は印刷モチーフを変えることによって、面２の構成を変えるオプションもある。
【００２７】
したがって、本発明によれば、ゲーム用サイコロ１は複数の異なる表示保持要素４ａ、４ｂ、４ｃを含み得り、該表示保持要素４ａ、４ｂ、４ｃは、上述の組立要素４ａ、４ｂ、４ｃと同じ方法で構成され得るであろうが、該表示保持要素４ａ、４ｂ、４ｃがゲーム用サイコロ１の面２の１つに取り付けられる場合、該表示保持要素４ａ、４ｂ、４ｃが種々の形状、サイズ、装飾、色又はモチーフの与えられている表示を外方に向いている面に設けられていることによってゲーム用サイコロ１の面２を変える際に使用するためのものである。
【００２８】
これによって、ただ１つのゲーム用サイコロだけで、プレイすること又は任意選択的にゲームの一部としてゲーム用サイコロ１の構成及び特性を変更することが望まれるゲームに合わせてゲーム用サイコロ１を設計するように、非常に多くの数の異なるオプションが提供されることを達成できる。これは、比較的少ない数の個々の構成部材を使用することによって達成される。
【００２９】
言うまでもなく、図示のサイコロは好適な実施形態のものであり、当業者は図示した基本形状以外の他の基本形状を有するサイコロを構成することが可能であるが、その場合、本発明の根本本質が適用される。例えば、本発明は、図面に示した６つ面よりも多い面を特徴とするサイコロに用いることができるか、又は、面は図示した正方形の形状以外の他の形状を有する。倒れると或る面で安定して位置する四角いコマの形状のサイコロも、本発明によるサイコロの基本形状として用いることができる。
【図１】
2011510767.tif 000003
【図２】
2011510767.tif 000004
【国際調査報告】
2011510767.tif 000005
2011510767.tif 000006